Podtech/llm-jp-corpus-v4-ja_patent huggingface dataset:
(57)【要約】      （修正有）【課題】運転者の視界や運転動作を妨げること無く、動画による広告宣伝が可能な自転車を提供する。【解決手段】広告宣伝用の無線通信機能を備える液晶又は有機ＥＬモニターを車体に設けることを特徴とし、また前記モニターは、複数設けられ、モニター及び無線通信機能の電源は、電動アシスト用電池を併用又は専用電池を使用し、宣伝広告を行うことを特徴とする。これにより、動画等も流せるようになることで宣伝効果は飛躍的に向上する。【選択図】図１
0003187656.tif 000002
【実用新案登録請求の範囲】
【請求項１】
広告宣伝用の液晶モニター等を車体に設け、無線ＬＡＮ等の通信機能を備えることを特徴とする自転車。
【請求項２】
前記モニターは、複数設けられ、モニター及び通信機器の電源は、電動アシスト用電池を併用又は専用電池を使用し、宣伝広告を行う自転車であることを特徴とする請求項１記載の広告宣伝用自転車。
【考案の詳細な説明】
【技術の分野】
【０００１】  この考案は広告宣伝用の自転車の形状や技術に関する
【背景技術】
【０００２】  従来の自転車広告は、液晶モニターや電気通信技術を用いたものは無く通常の看板等をフレームやタイヤ枠に取り付けたものである。
【考案の概要】
【考案が解決しようとする課題】
【０００３】  従来の自転車広告では、動画を映し出すことが出来ず、広告の効果が不十分である。
そこで、この考案は、自転車の一部に動画を映し出すことと、モニターおよび通信機器等の電源をいかにして賄うかを課題とする。
【課題を解決するための手段】
【０００４】  上記の課題を解決するために、第一考案は液晶モニター等を車体複数箇所に設けたことを特徴とする自転車である。
また第二考案は、電動アシスト用電池を併用又は専用電池をもうけ、モニターおよび通信機器の電源を賄う。
【考案の効果】
【０００５】  第一考案、および第二考案によれば、自転車による動画広告が可能になる。
【図面の簡単な説明】
【０００６】
【図１】この考案の一実施形態を示す図である。
【図２】従来技術を示す図である。
【考案を実施するための形態】
【０００７】  この考案の一実施形態を、図１に示す。
この自転車は液晶モニター等を複数装備する。
【実施形態の効果】
【０００８】  この実施形態によれば、運転者の視界や運転動作を妨げること無く、動画による広告宣伝が可能である。
【他の実施形態】
図１の実施形態では、タイヤ回りにモニターを装備しているが、他の実施形態では、タイヤの上部やフレームの一部、前カゴ部や後カゴ部等にモニターを装備したものでも良い。
【符号の説明】
【０００９】  １  広告宣伝用電動自転車本体          ２  モニター
【図１】
0003187656.tif 000003
【図２】
0003187656.tif 000004
【手続補正書】
【提出日】平成25年8月1日(2013.8.1)
【手続補正１】
【補正対象書類名】実用新案登録請求の範囲
【補正対象項目名】全文
【補正方法】変更
【補正の内容】
【実用新案登録請求の範囲】
【請求項１】
広告宣伝用の液晶モニターを車体に設け、無線通信機能を備えることを特徴とする自転車。
【請求項２】
前記モニターは、複数設けられ、モニター及び通信機器の電源は、電動アシスト用電池を併用又は専用電池を使用し、宣伝広告を行う自転車であることを特徴とする請求項１記載の自転車。
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
広告宣伝用の無線通信機能を備える液晶又は有機ＥＬモニターを車体に設けることを特徴とする自転車。
【請求項２】
前記モニターは、複数設けられ、モニター及び無線通信機能の電源は、電動アシスト用電池を併用又は専用電池を使用し、宣伝広告を行う自転車であることを特徴とする請求項１記載の自転車。
【手続補正２】
【補正対象書類名】明細書
【補正対象項目名】０００３
【補正方法】変更
【補正の内容】
【０００３】従来の自転車広告では、動画を映し出すことが出来ず、広告の効果が不十分である。
そこで、この考案は、自転車の一部に動画を映し出すことと、液晶又は有機ＥＬモニターおよび無線通信機能の電源をいかにして賄うかを課題とする。
【手続補正３】
【補正対象書類名】明細書
【補正対象項目名】０００４
【補正方法】変更
【補正の内容】
【０００４】上記の課題を解決するために、第一考案は無線通信機能を備えた液晶又は有機ＥＬモニターを車体複数箇所に設けたことを特徴とする自転車である。
また第二考案は、電動アシスト用電池を併用又は専用電池をもうけ、液晶又は有機ＥＬモニターおよび通信機能の電源を賄う。
【手続補正４】
【補正対象書類名】明細書
【補正対象項目名】０００７
【補正方法】変更
【補正の内容】
【０００７】この考案の一実施形態を、図１に示す。
この自転車は無線通信機能を備える液晶又は有機ＥＬモニターを複数装備する。
(57)【要約】      （修正有）【課題】いつでもどこでも何回でも簡単にデザインを着せ替えできる簡単着せ替えスマートフォンケースを提供する。【解決手段】ケース本体１にスリット２を入れる事でケース本体１の取り外しや組み立の必要がなく専用スライドインカード１１のスライドイン、スライドアウトで簡単に交換できる。【選択図】図１
0003187700.tif 000002
【実用新案登録請求の範囲】
【請求項１】
表面に操作及び表示画面があるスマートフォンに用いられ、専用スライドインカードでデザインを簡単で自由に交換でき、衝撃から保護するスマートフォンケースであり、スマートフォンの操作及び表示面と裏面が開口されており、四方を覆う形状のケース本体の裏面側に専用スライドインカードを入れるスリットを有しており、いつでもどこでも何回でも簡単に好みのデザインにスライドイン形式で着せ替えできることを特徴とするスマートフォンケースである。
【考案の詳細な説明】
【技術分野】
【０００１】  本考案は、いつでもどこでも何回でも簡単に着せ替えできるスマートフォンケースに関するものである。
【背景技術】
【０００２】  スマートフォンが普及するにつれ保護性・デザイン性を求める需要者が増加し様々なスマートフォンケースが考案されている。【０００３】  これまでのスマートフォンケースはケースそのモノのデザインバリエーションは数多く普及しているがシーンや気分によって簡単にいつでもどこでもデザインを選べる、交換できるモノはない。【０００４】  本考案の基盤となる簡単着せ替えスマートフォンケースの考え方では他社に低粘着性シールによる考案は既に普及しているが実状は貼ったモノを剥がし、剥がしたモノを再利用する事はない。【０００５】  本考案は図１で示すようにスリット２を入れた専用本体ケース１に専用スライドインカード１１を入れるだけでいつでもどこでも簡単に交換できる着せ替えできるスマートフォンケースである。
【考案の概要】
【考案が解決しようとする課題】
【０００６】  解決しようとする問題点は、ユーザーがスマートフォンを使うシーンや気分でケースをいちでもどこでも簡単に交換できない問題を解決しようとするものである。
【課題を解決するための手段】
【０００７】  本考案は、ケース本体１にスリット２を入れる事でケース本体１の取り外しや組み立の必要がなく専用スライドインカード１１のスライドイン、スライドアウトで簡単に交換できることを最も主要な特徴とする。
【考案の効果】
【０００８】  本考案のスマートフォンケースは、専用スライドインカード１１でデザインを替えれる特徴からユーザーのアイデンティテーを表現する手段を増し、ケース本体１の交換頻度は他のスマートフォンケースに比べ減ることからエコロジーにも繋がる。
【図面の簡単な説明】
【０００９】
【図１】本考案の実態形態を示すスマートフォンケースの傾斜図である。
【考案を実施するための形態】
【００１０】  本考案の実施形態を図面に基づいて説明する。
本考案のスマートフォンケースは図示のようにケース本体１に専用スライドインカード１１がケース本体１のスリット２に入り構成される。
【００１１】  専用スライドインカード１１の厚みとスリット２の開口寸法の差を０．１ｍｍにすることで専用スライドインカード１１とスマートフォン本体との摩擦により専用スライドインカード１１が抜け落ちる事はない。
【００１２】  本考案のスマートフォンケースは、オン／オフボタン３、マナーモード設定ボタン用開口４、ボリューム＋（プラス）ボタン５、ボリューム−（マイナス）ボタン６、スピーカー及びヘッドホンホール用開口７、充電ＰＩＮ差込み用開口８、スピーカー用開口９、ストラップ用ホール１０、カメラレンズ及びフラッシュ用開口１２の機能を備えている。
【００１３】  本考案のフマートフォンケースの素材や色は任意であるがスマートフォン落下時の保護性は四方を覆うケース本体１でスマートフォンを守ることができる。
【符号の説明】
【００１４】１    ケース本体
２    スリット
３    オン／オフボタン
４    マナーモード設定ボタン用開口
５    ボリューム＋ボタン
６    ボユューム−ボタン
７    スピーカー及びヘッドホン用開口
８    充電ＰＩＮ差込み用開口
９    スピーカー用開口
１０  ストラップ用ホール
１１  専用スライドインカード
１２  カメラレンズ及びフラッシュ用開口
【図１】
0003187700.tif 000003
(57)【要約】      （修正有）【課題】クリアファイルに書類を入れて持ち歩くとき、中に入れた書類がずり落ちるのを防止するマグネットシート付きクリアファイルを提供する。【解決手段】合成樹脂を二つ折りにして、Ａ４の書類を入れる事が出来る形状のクリアファイル本体１を平面から見て、左は折り曲げ部６、上部開放部５、右開放部８、下は表と裏を固定した固定部４とし、右開放部８の上部に、表面だけ半円に切り抜いた半円の開放穴２を設け、更に開いた時に右下角に破損防止穴３を設ける。表側内部面、裏側内部面として、表側内部面には左上部にＬ型のマグネットシート７を右に９０度回転させて固定させ、裏側内部面の右上にＬ型のマグネットシートを右に９０度回転させて裏返しにした形状で固定させる。【選択図】図１
0003187687.tif 000002
【実用新案登録請求の範囲】
【請求項１】
合成樹脂を二つ折りにして，Ａ４の書類を入れる事が出来る形状の，クリアファイル本体（１）を平面から見て，左は折り曲げ部（６），上部開放部（５），右開放部（８），下は表と裏を固定した固定部（４）とし，右開放部（８）の上部に，表面だけ半円に切り抜いた半円の開放穴（２）を設け，更に開いたときに，右下角に破損防止穴（３）を設け，表側内部面（Ａ面），裏側内部面（Ｂ面）として，表側内部面（Ａ面）には，左上部にＬ型のマグネットシートを右に９０度回転させて固定させ，裏側内部面（Ｂ面）の右上にＬ型のマグネットシートを右に９０度回転させて裏返しにした形状で固定させたマグネットシート付きクリアファイル。
【考案の詳細な説明】
【技術分野】
【０００１】
本考案は，マグネットシート付きクリアファイルに関する。
【背景技術】
【０００２】
従来，書類に汚れや折り目が付かないようにするために，クリアファイルを使用して来た。特許文献，特開２０１２−１１１０５６号公報，特許４６２８４８９号公報にも記載はあるが構造の違いがある。
【先行技術文献】
【特許文献】
【０００３】
【特許文献１】特開２０１２−１１１０５６
【特許文献２】特許４６２８４８９
【考案の概要】
【考案が解決しようとする課題】
【０００４】
従来，書類を複数枚クリアファイルに入れて，外に持ち出すときは開口部から書類が抜け出て大変困る事がある。クリアファイルに簡単に入れて，持ち運ぶ便利さの影には，ずり落ちる危険性もある。特にちょっと外に持ち出す時に，書類が落ちて紛失や汚れが生じることは対策する必要がある課題である。
【課題を解決するための手段】
【０００５】
課題を解決するため以下の構成とした。
合成樹脂を二つ折りにしてＡ４の用紙を入れる事が出来る形状の，クリアファイル本体（１）を平面から見て，左は折り曲げ部（６），上部開放部（５），右開放部（８），下は表と裏を固定した固定部（４）とする。
右開放部（８）を開くとき，指が入り易いように表面だけ半円に切り抜いた開放穴（２）を設け，更に開いたときに破損しないように，右下に破れ防止穴（３）を設けた。
表側内部面（Ａ面），裏側内部面（Ｂ面）として，表側内部面（Ａ面）には，左上部にＬ型のマグネットシートを右に９０度回転させて固定させ，裏側内部面（Ｂ面）の右上にＬ型のマグネットシートを右に９０度回転させて裏返しにした形状で固定させ，表側内部面（Ａ面）と裏側内部面（Ｂ面）で書類を挟み合わせたときに，書類がずり落ちない構造と組み合わせにした。
【考案の効果】
【０００６】
本考案は，下記の効果を有する。
1． マグネットシート付きクリアファイルに書類を入れても，マグネットが付いているためずり落ちない。
２．安心して書類を移動できる。
３．特に外に出たときは，多少角度を複雑に曲げても書類は落ち辛い。
【図面の簡単な説明】
【０００７】
【図１】本考案の平面図
【図２】本考案の固定部（４）を切り裂いて内部を見せた説明図。
【図３】書類を入れた状態の右開放部（８）から見た側面図
【考案を実施するための形態】
【０００８】
以下，本考案を実施するための最良の形態について説明する。
合成樹脂を二つ折りにしてＡ４の用紙を入れる事が出来る形状の，クリアファイル本体（１）を平面から見て，左は折り曲げ部（６），上部開放部（５），右開放部（８），下は表と裏を固定した固定部（４）とする。
右開放部（８）を開くとき，指が入り易いように右の辺の上部に，表面だけ半円に切り抜いた半円の開放穴（２）を設け，更に開いたときに破損しないように，右下角に破れ防止穴（３）を設けた。
図2は，裏表の内部にマグネットシートを入れたことを説明するために，裏表の固定部（４）を切り裂いて広げた図面である。
表側内部面にマグネットシート（７）を取り付け，裏側内部面にもマグネットシート（９）を取り付けた。
表側内部面（Ａ面）には，左上部にＬ型のマグネットシートを右に９０度回転させて固定させて固定させ，裏側内部面（Ｂ面）の右上にＬ型のマグネットシートを右に９０度回転させて裏返しにした形状で固定させ，表側内部面（Ａ面）と裏側内部面（Ｂ面）を合わせたときに，書類がずり落ちないようにした。
【符号の説明】
【０００９】
Ａ．表側内部面（Ａ面）
Ｂ．裏側内部面（Ｂ面）
１．マグネットシート付きクリアファイル本体
２．半円の開放穴
３．破損防止穴
４．裏表の固定部  
５．上部開放部
６．裏表の折り曲げ部
７．表側内部面のマグネットシート
８．右開放部
９．裏側内部面のマグネットシート
【図１】
0003187687.tif 000003
【図２】
0003187687.tif 000004
【図３】
0003187687.tif 000005
(57)【要約】      （修正有）【課題】日本の伝統的な着物及び帯を身近な物に容易に装飾することができる複数種類の着物及び帯のミニチュア装飾部品を提供する。【解決手段】日本特有の布生地を使用した、日本の伝統的な着物及び帯の実物を模して立体的に再現しミニュチュア製作した複数種類の着物部品と様々な結びの帯部品を様々に組み合わせて日本の伝統的な着物及び帯を表現する。貼り付け面を平面加工することにより容易に貼り付けや縫い付けることが可能となる。【選択図】図３
0003187650.tif 000002
【実用新案登録請求の範囲】
【請求項１】
日本の伝統的な着物及び帯の実物を模して立体的に再現しミニュチュア製作した複数種類の着物部品と帯部品を様々な組み合わせにより、様々な着物及び帯を表現することができ、容易に貼り付けできるように貼り付け面を平面加工した部品で、日本の伝統的な着物及び帯を容易に表現することができることを特徴とする装飾部品。
【考案の詳細な説明】
【技術分野】
【０００１】
本考案は、着物及び帯を表現してつくった部品を使用し、日本の伝統的な着物及び帯を表現し装飾するものである。
【背景技術】
【０００２】
日本の伝統的な着物及び帯を表現するにあたり、実物を着用する、人形、絵画、映像などで表現するしかなく、身近な物に容易に表現し装飾することができなかった。
【考案の概要】
【考案が解決しようとする課題】
【０００３】
容易に日本の伝統的な着物及び帯を表現するアクセサリーを提供するものである。
【課題を解決するための手段】
【０００４】
本考案は、部品を貼り合せることにより誰でも容易に日本の伝統的な着物及び帯を表現することができる。
【０００５】
日本の伝統的な着物及び帯の実物を模して立体的に再現しミニュチュア製作したものである。
【０００６】
日本特有な様々な布生地を使うことにより、様々な着物を表現することができる。
【０００７】
日本には様々な帯の結び方があり、様々な帯の結び方を表現した部品を組み合わせることにより、様々な着物及び帯を表現することができる。
【０００８】
貼り付け面を平面加工することにより、容易に装飾することができる。
【０００９】
貼り付け面を平面加工している為、粘着テープで貼ることが可能となり誰でも容易に装飾することができる。
【００１０】
素材が布生地なので曲面にも貼りやすく、また縫いつけることも可能である。
【００１１】
貼り付け面を平面加工している為、マグネットを貼ることにより金属面への貼り替えが容易になる。
【考案の効果】
【００１２】
日本特有の様々な布生地を使用した着物部品と様々な帯の結び方を表現した帯部品で、これらの部品を組み合わせ貼り合せることにより、容易に日本の伝統的な着物及び帯を表現することができる。
【００１３】
複数種類の着物部品と帯部品を自由に貼り合わす事ができる為、様々な日本の伝統的な着物及び帯を表現することができる。
【００１４】
貼り付け面を平面加工している為、容易に貼り付けたり縫い付けることが可能となり、携帯電話、かばん、衣類、小物、室内などを容易に装飾することができる。
【図面の簡単な説明】
【００１５】
【図１】着物及び帯を模した形状の部品図である。
【図２】着物及び帯を模した裏面の部品図である。
【図３】貼り合せて装飾方法を示した説明図である。
【考案を実施するための形態】
【００１６】
図1のように個々の部品にすることにより、様々な組み合わせが可能となり、様々な着物及び帯を表現することができる。
【００１７】
図1のように個々の部品の為、帯のみを使用し装飾することが可能である。
【００１８】
図２のように裏面の貼り付け面を平面加工することにより、粘着テープ等での貼り付けを可能としている。また布素材なので縫い付けることも可能である。
【実施例】
【００１９】
図3のように組み合わせて使用することにより着物及び帯を表現した装飾が可能となり、また個々の部品の為、帯のみを使用した装飾も可能である。
【産業上の利用可能性】
【００２０】
容易に取付が可能な為、日本の伝統的な着物及び帯を身近な物に装飾することができ、また組み合わせにより様々な日本の伝統的な着物及び帯を表現することができる。
【図１】
0003187650.tif 000003
【図２】
0003187650.tif 000004
【図３】
0003187650.tif 000005
【手続補正書】
【提出日】平成25年6月24日(2013.6.24)
【手続補正１】
【補正対象書類名】実用新案登録請求の範囲
【補正対象項目名】全文
【補正方法】変更
【補正の内容】
【実用新案登録請求の範囲】
【請求項１】
着物部品と帯部品とからなる装飾部品において、前記着物部品と前記帯部品とは、各々の貼り付け面が平面加工されていることを特徴とする日本の伝統的な着物及び帯を模してミニチュア製作した装飾部品。
(57)【要約】      （修正有）【課題】１個所破損しても全体破損にならないタイヤを提供する。【解決手段】タイヤ１の接地面内部に多空部タイヤ２を組み込み、多空部タイヤの各部に接着剤を入れる。１個所又は２個所の小さな破損であれば多空部内に接着剤が入っていくので空気圧が極端に下らず、ほぼ通常の状態を保つ。【選択図】図１
0003187645.tif 000002
【実用新案登録請求の範囲】
【請求項１】
タイヤの内部にもう１個の多空部に接着剤を入れたタイヤ
【考案の詳細な説明】
【考案の詳細な説明】
この考案はタイヤの内部にもう１個の多空部に接着剤を入れたタイヤである。
従来のタイヤは１個所破損するとタイヤ全体破損に及び使用不能となった。
本案はその欠点を除くために考案されたもので１個所又は２個所の破損でも多空部に接着剤が入っているので全体破損には及ばず、その機能は保つことが出来て安心である。
このようにすれば高速道路での大事故、タイヤ交換による死亡事故等々の防止になる。
本考案はこのような構造であるから、即座に交換しなくても目的地まで安心して運転して行く事が出来る。
【図面の簡単な説明】
【図１】  本案の平面図と断面図である。
【符号の説明】  １はタイヤ
２は多空部タイヤ
３は断面図
【図１】
0003187645.tif 000003
【手続補正書】
【提出日】平成25年6月21日(2013.6.21)
【手続補正１】
【補正対象書類名】実用新案登録請求の範囲
【補正対象項目名】全文
【補正方法】変更
【補正の内容】
【実用新案登録請求の範囲】
【請求項１】
タイヤの内部にもう１個の多空部タイヤの各部に接着剤を入れたタイヤを組み入れたタイヤ。
【手続補正２】
【補正対象書類名】明細書
【補正対象項目名】全文
【補正方法】変更
【補正の内容】
【考案の詳細な説明】
【考案の詳細な説明】
この考案はタイヤの内部にもう１個の多空部タイヤの各部に接着剤を入れたタイヤを組み入れたタイヤである。
従来のタイヤは１個所破損するとタイヤ全体が破損し使用不能となった。
本案はその欠点を除くために考案されたのもので１個所又は２個所の小さな破損であれば多空部内に接着剤が入っているので空気圧が極端に下らず、ほぼ通常の状態であり、その機能は保つことが出来るので安心である。
このようにすれば高速道路での大事故、タイヤ交換による死亡事故等々の防止になる本考案はこのような構造であるからタイヤを即座に交換しなくても安心して運転して行く事が出来る。
【図面の簡単な説明】
【図１】本案の平面図と断面図である
【符号の説明】１はタイヤ
２は多空部タイヤの各部に接着剤を入れたタイヤ
３は断面図
【手続補正書】
【提出日】平成25年9月24日(2013.9.24)
【手続補正１】
【補正対象書類名】実用新案登録請求の範囲
【補正対象項目名】全文
【補正方法】変更
【補正の内容】
【実用新案登録請求の範囲】
【請求項１】
タイヤの接地面内部に多空部タイヤを組み込み、多空部タイヤの各部に接着剤を入れた、多空部タイヤを組み入れたタイヤ。
【手続補正２】
【補正対象書類名】明細書
【補正対象項目名】全文
【補正方法】変更
【補正の内容】
【考案の詳細な説明】
【考案の詳細な説明】
この考案はタイヤの内部にもう１個の多空部タイヤの各部に接着剤を入れたタイヤを組み入れたタイヤである。
従来のタイヤは１個所破損するとタイヤ全体が破損し使用不能となった。
本案はその欠点を除くために考案されたのもので１個所又は２個所の小さな破損であれば多空部内に接着剤が入っていくので空気圧が極端に下らず、ほぼ通常の状態であり、その機能は保つことが出来るので安心である。
このようにすれば高速道路での大事故、タイヤ交換による死亡事故等々の防止になる本考案はこのような構造であるからタイヤを即座に交換しなくても安心して運転して行く事が出来る。
【図面の簡単な説明】
【図１】本案の平面図と断面図である
【符号の説明】１はタイヤ
２は多空部タイヤの各部に接着剤を入れたタイヤ
３は断面図
(57)【要約】      （修正有）【課題】薬局や医師から入手した飲み薬の飲み忘れを防止し早く病気を治し健康を取り戻すために薬の飲み忘れが一目で分かるお薬ボードを提供する。【解決手段】板状のボード１と、板状のボード１の表面に一列状に設けられた透明な８個の小袋２と、板状のボード１の表面上であって透明な８個の小袋２のそれぞれに対応する位置に設けられた年月日及び曜日記入欄４と、を備えた。年月日及び曜日記入欄４が設けられた板状のボード１の表面に、耐水性物質がコーテイングされている。【選択図】図１
0003187649.tif 000002
【実用新案登録請求の範囲】
【請求項１】
薬局や医師から入手した薬のうち８日分をとりだしてそれを１日分ずつに分けて、８日分の日付と曜日が書いてある薄い板状のボードに装着してある透明な８個の小袋に、１日分ずつ分けて入れて、そのボードを目につきやすい所に掲示しておくことにより、その日の薬の飲み忘れが一目で分かるようにした薬飲み忘れ防止ボード。
【請求項２】
ボードに装着してある８日分の薬がなくなれば、ボードの日付と曜日を次の８日間に書き換えて８日分の薬を小袋に入れてボードの再使用に供することが可能なようにするために、ボードの表面に耐水性物質をコーテングし水性マーカーで年月日と曜日の記入と消去が繰り返し可能とした薬飲み忘れ防止ボード。
【考案の詳細な説明】
【技術分野】
【０００１】  本考案は医者から貰った薬や薬局で買った薬を毎日忘れないで飲む事ができるように、日付と曜日を明示したボードにその日飲む必要のある薬を収納したものである。ボードは長く繰り返し使用可能にした。【０００２】  ボードには水性マーカーで年、月、日、曜日を記入したり消去したりできる箇所と１日分の薬が収納できる部分が設定してあり、８日分の収納ができるようなコンパクトなボード（Ａ４大）とし、壁面等に釣ったり机上等に置いたりできるようにして目につき易くなるように考案した。。
【背景技術】
【０００３】  従来は医者から貰った薬や薬局で買った薬は袋に入れたまま引き出しの中や戸棚の中にしまって置くのが多かった。そのために薬の飲み忘れが多かった。【０００４】  また続けて飲む必要のある薬がいつ切れてなくなるのか分かりにくかった。
【考案の概要】
【考案が解決しようとする課題】
【０００５】  続けて飲む必要のある薬は飲んだり飲まなかったりすると効果があらわれない。きちんと飲んで早く病気が治るようにしたい。【０００６】  目につき易い所に掲示しておいて飲むのを忘れないようにまた薬が切れてしまわない内に手に入れておくようにしたい。
【課題を解決するための手段】
【０００７】  薬を飲み始める日から８日間分の日付と曜日をボードに記入し、１日分の薬を日付に対応した小袋に８日分入れておく。８日後に次ぎの８日間分の日付と曜日をボードに新しく記入し８日分の薬を小袋に入れておく。【０００８】  薬を入れる小袋は透明のプラスチックシートの使用により薬の有無がすぐ確認できその日の飲み忘れを確認しやくする。また薬が切れる日もすぐ確認できる。目につき易い所にボード（Ａ４大で厚さ５ｍｍ程度）を置くことにより一層効果が期待できる。
【考案の効果】
【０００９】  薬の飲み忘れや薬切れの防止により病気の早期の完治と健康の回復が期待できる。
【図面の簡単な説明】
【００１０】
【図１】  本考案の正面図
【符号の説明】
【００１１】１．水性マーカーで書き込み（消去）可能なボード
２．薬の収納、取り出しのできる小袋。素材は透明なプラスチックシート。
８日分をボードに固定。
３．小袋の中に収納してある薬
４．点線で囲んだところに年月日、曜日を水性マーカーで記入したり、消去したりすると    ころ。
【図１】
0003187649.tif 000003
【手続補正書】
【提出日】平成25年6月28日(2013.6.28)
【手続補正１】
【補正対象書類名】実用新案登録請求の範囲
【補正対象項目名】全文
【補正方法】変更
【補正の内容】
【実用新案登録請求の範囲】
【請求項１】
板状のボードと、前記板状のボードの表面に一列状に設けられた透明な８個の小袋と、前記板状のボードの表面上であって前記透明な８個の小袋のそれぞれに対応する位置に設けられた年月日及び曜日記入欄と、を備えた薬飲み忘れ防止ボード。
【請求項２】
前記年月日及び曜日記入欄が設けられた前記板状のボードの表面に、耐水性物質がコーテイングされている請求項１に記載の薬飲み忘れ防止ボード。
(57)【要約】      （修正有）【課題】笛の機能を保ちながら携帯に負担とならない形状となるよう、未使用時には板状の形状で携帯を容易としながら、使用時には折り曲げて笛として利用できるようにしたカード形状の笛を提供する。【解決手段】二枚の板を積層させてなり、少なくとも一方の板を折り曲げて、二枚の板の間に、筒もしくは錐の形状となる空間を設けるための折り曲げ線を備え、前記空間に対して連通する空気孔を板表面に設けたことを特徴とする。【選択図】図１
0003187648.tif 000002
【実用新案登録請求の範囲】
【請求項１】
折り曲げて立体となる折り曲げ線と人の息で音を発する空気抗を備えた板状の物品
【考案の詳細な説明】
【考案の詳細な説明】
【技術分野】  笛
【背景技術】  従来、笛の形状は球形もしくは筒形で携帯には不便であった。
【考案が解決しようとする課題】
笛は事故・遭難・災害時等に有効な連絡道具だが、従来の形状では携帯に不便で、特に災害時等に備え常時携帯するには負担だった。本考案は笛の機能を保ちながら携帯に負担とならない形状となるよう、未使用時には板状の形状で携帯を容易としながら、使用時には折り曲げて笛として利用できようにしようとするものである。
【課題を解決するための手段】
筒状・錐状等の立体となるような折り曲げ線を平面の物品に施すことにより、携帯時には平面形状であり使用時には筒状・錐状等立体形状の笛として使用できる物品を開発する。
【考案実施の形態】
板状携帯笛
【実施例】  カード型携帯笛
【考案の効果】
本考案の場合、未使用時には一般的なクレジットカード等と同様の形体で携帯負担がなく、使用時には折り曲げ線に沿い折り曲げることで笛として使用することにより事故・遭難・災害時等の連絡道具として活用できる。
【図面の簡単な説明】
【図１】カード型携帯笛実施例の斜視図である。上図が未使用時図、下図が使用時図であり、使用時図は未使用時図の点線に沿って谷折りを行い、又、一点鎖線に沿って山折りを行った状態を示す。
【図１】
0003187648.tif 000003
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
折り曲げることにより筒もしくは錐の形状となる板に笛の機能を持つ空気孔を組み合わせた物品。
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
二枚の板を積層させてなり、少なくとも一方の板を折り曲げて、二枚の板の間に、筒もしくは錐の形状となる空間を設けるための折り曲げ線を備え、前記空間に対して連通する空気孔を板表面に設けた、折り曲げて使用するカード形状の笛。
(57)【要約】      （修正有）【課題】リントの発生を抑えて手術室内の清潔を保つとともに、静電気の発生を抑制して手術室内の安全を保持可能とする手術用掛け布を提供する。【解決手段】合成繊維素材にて形成した掛け布本体１に、制電糸３にて形成したステッチ２を設けることにより、掛け布本体１からの静電気の発生を防止可能とする。また、幅方向中央部に一対のステッチ２を、一定間隔を介して掛け布本体１の長さ方向に設けることで、静電気を迅速且つ確実に放電できる。【選択図】図１
0003187373.tif 000002
【実用新案登録請求の範囲】
【請求項１】
合成繊維素材にて形成した掛け布本体に、制電糸にて形成したステッチを設けることにより、掛け布本体からの静電気の発生を防止可能としたことを特徴とする手術用掛け布。
【請求項２】
前記掛け布本体には、幅方向中央部に一対のステッチを、一定間隔を介して掛け布本体の長さ方向に設けたことを特徴とする請求項１の手術用掛け布。
【考案の詳細な説明】
【技術分野】
【０００１】
本考案は、手術台上の患者に被覆する手術用掛け布に関するものである。
【背景技術】
【０００２】
従来より、手術時、又はその前後に患者の体温を保温するために手術用掛け布が使用されている。このような手術用掛け布は、主に手術室やクリーンルームなどの清浄度の高い環境で使用されるものであるため、リントが発生しやすい綿素材を用いるのは好ましくない。そこで、リントの発生を防止するために、特許文献１に示す如き合成繊維素材の手術用掛け布が以前より使用されている。
【先行技術文献】
【特許文献】
【０００３】
【特許文献１】特開平８−２０６１３２号公報
【考案の開示】
【考案が解決しようとする課題】
【０００４】
しかしながら、合成繊維素材は摩擦によって静電気を発生しやすいものであり、静電気が生じた場合には、手術の際に使用する電子機器の作動に異常が生じたり、スパークが発生して火災を起こす危険性がある。
【０００５】
そこで、本願考案は上述の如き課題を解決しようとするものであって、リントの発生を抑えて手術室内の清潔を保つとともに、静電気の発生を抑制して手術室内の安全を保持可能とする手術用掛け布を得ようとするものである。
【課題を解決するための手段】
【０００６】
上述の如き課題を解決するため、本願考案は、合成繊維素材にて形成した掛け布本体に、制電糸にて形成したステッチを設けることにより、掛け布本体からの静電気の発生を防止可能としたものである。このように制電糸にて形成したステッチを掛け布本体に設けることにより、上記ステッチを介して掛け布本体に発生した静電気を放電することができる。
【０００７】
また、前記掛け布本体には、幅方向中央部に一対のステッチを、一定間隔を介して掛け布本体の長さ方向に設けたものであっても良い。このようにステッチを一対設けることにより、掛け布本体に発生した静電気を迅速且つ確実に放電することができる。
【考案の効果】
【０００８】
本願考案は上記の如く構成したものであって、掛け布本体に制電糸にて形成したステッチを設けることにより、掛け布本体に発生した静電気を、制電糸にて形成したステッチを介して放電することが可能となる。そのため、手術の際に使用する電子機器の作動が異常をきたしたり、静電気の発生によりスパークが生じて火災が発生する等の事態を防いで手術室内の安全を確保することができる。また、掛け布本体を合成繊維素材にて形成していることからリントの発生を抑制することが可能となり、手術室の清潔を保つことができる。
【図面の簡単な説明】
【０００９】
【図１】本考案の実施例１を示す平面図。
【実施例１】
【００１０】
本考案の実施例１について説明すると、本実施例の手術用掛け布は、手術時あるいは手術の前後に手術台上の患者に被覆することにより、患者の体温を保温したり患者の体表面を傷つけないよう保護したりする等の目的で用いるものである。そして図１に示す如く(1)は掛け布本体であって、長方形状であるとともにポリエステル繊維にて形成したものである。このようにポリエステル繊維にて形成することにより、リントの発生を抑えて清潔な室内を保持することができる。
【００１１】
また、上記掛け布本体(1)には、図１に示す如く幅方向中央部に一対のステッチ(2)を設けている。このステッチ(2)は制電糸(3)にて形成したものであって、互いに一定間隔を介して掛け布本体(1)の長さ方向上端から下端にかけて直線状に設けている。
【００１２】
上記の如く掛け布本体(1)にステッチ(2)を設けることにより、ポリエステル繊維にて形成した掛け布本体(1)に静電気が発生した場合でも、ステッチ(2)を形成している制電糸(3)によって掛け布本体(1)に生じた静電気を放電することができる。従って、掛け布本体(1)の静電気により手術の際に使用する電子機器の作動に支障をきたしたり、スパークが生じて火災が発生する等の事態を防ぐことができ、手術時の安全を確保するができる。
【００１３】
また上記の如くステッチ(2)を一対設けることにより、掛け布本体(1)に発生した静電気を迅速且つ確実に放電することができる。
【符号の説明】
【００１４】
１  掛け布本体
２  ステッチ
３  制電糸
【図１】
0003187373.tif 000003
(57)【要約】      （修正有）【課題】調光機能を用いて荘厳さを増した仏壇を提供する。【解決手段】前面を有する本体１０を備えた仏壇１であって、本体内に設けられた照明２０と、照明に接続された調光機５０と、本体内に設けられ、調光機及び照明に制御信号を送信するための制御スイッチ６０を備えている。また、本体内に扉１３が設けられ、扉に連結し、扉を摺動する電動モーター３０を有する。【選択図】図１
0003187302.tif 000002
【実用新案登録請求の範囲】
【請求項１】
前面を有する本体を備えた仏壇であって、前記本体内に設けられた照明と、前記照明に接続された調光機と、前記本体内に設けられ、前記調光機及び照明に制御信号を送信するための制御スイッチを備えていることを特徴とする仏壇。
【請求項２】
本体内に扉が設けられ、該扉に連結し、該扉を摺動する電動モーターを有することを特徴とする請求項１記載の仏壇。
【請求項３】
前記調光機及び照明の制御手段はリモートコントロールユニットであることを特徴とする請求項１〜２のいずれかの仏壇。
【考案の詳細な説明】
【技術分野】
【０００１】
本考案は仏壇に係り、特に調光を効かせた照明により本体内に照射して荘厳さを増した仏壇に関する。
【背景技術】
【０００２】
従来の仏壇における照明は、仏壇本体内を照射することで仏壇本体内の物体を視認しやすくすることを主たる目的として使用されてきた。
【考案の概要】
【考案が解決しようとする課題】
【０００３】
しかしながら、上述の照明にあっては、祈りの対象物である御本尊に対する荘厳さを演出する点において、点灯及び消灯における二極のみでの操作の提供に限られ、上述の演出効果が限定的になる問題点があった。
【０００４】
本考案は、上記の問題点を除去するようにした仏壇を提供することを目的とする。
【課題を解決するための手段】
【０００５】
請求項１の仏壇は、前面を有する本体を備えた仏壇であって、前記本体内に設けられた照明と、前記照明に接続された調光機と、前記本体内に設けられ、前記調光機及び照明に制御信号を送信するための制御スイッチを備えているものである。
【０００６】
また、請求項２の仏壇は、請求項１の仏壇において、本体内に扉が設けられ、該扉に連結し、該扉を摺動する電動モーターを有するものである。
【０００７】
また、請求項３の仏壇は、請求項１〜２のいずれかの仏壇において、前記調光機及び照明の制御手段はリモートコントロールユニットである。
【考案の効果】
【０００８】
請求項１の仏壇によれば、照明点灯時に前記本体内に設けられたスイッチの電源を入れることで一定の時間をかけて徐々に仏壇本体内が明るくなり、信仰の対象物に対する厳かな雰囲気を演出することができる。また、消灯時も同じく、前記本体内に設けられたスイッチの電源を入れることで一定の時間をかけて徐々に仏壇本体内が暗くなることで、上述の効果を得ることができる。
【０００９】
また、請求項２の仏壇によれば、照明点灯時に前記本体内に設けられたスイッチにより信号を送信することで、一定の時間をかけて徐々に仏壇本体内が明るくなり、同時に電動モーターのアームの摺動により仏壇本体内の扉も一定の速度で開くため、扉の後ろに安置される信仰の対象物の姿が徐々に姿を現し、請求項１記載の考案の効果に増して荘厳さを演出することが可能である。また、消灯時も前記本体内に設けられたスイッチにより信号を送信することで、一定の時間をかけて徐々に仏壇本体内が暗くなり、同時に電動モーターのアームの摺動により仏壇本体内の扉も一定の速度で閉じるため、信仰の対象物の姿が徐々に扉の後ろに隠れていき、上述した荘厳さを演出することが可能である。
【図面の簡単な説明】
【００１０】
【図１】図１は、本考案の一実施例の仏壇の概略的断面図である。
【図２】図２は、図１の仏壇の概略的正面図である。
【図３】図３は、図２の扉が前方に向かって開いた状態の概略的正面図である。
【図４】図４は、図２のA−A線の概略的断面図である。
【考案を実施するための形態】
【００１１】
本考案の一実施例の仏壇を図面を参照して説明する。
図１〜図３に示す１は仏壇で、仏壇１は、前面を有する本体１０を備えている。本体１０は、図１〜図３に示すように、本体１０内に照明２０と、扉１３を有している。上述の照明２０は、LEDのほか、蛍光灯や有機ELなど他の発光源の部材を用いても構わない。また、照明２０は、図示した直管形だけでなく、電球などいかなる形状であってもよい。また、照明２０は、照明２０と本体１０の間に、光を通す透光部材(透光部材は、例えば、クリスタル、ガラス、アクリル等である)を通じて本体１０内を照射してもよい。
【００１２】
また、扉１３は軸１３aとアーム３０aを経由して電動モーター３０に連結されている。図１及び図４に示すように、赤外線受信センサー７０は、制御回路６０と接続し、該制御回路６０は、調光機５０及び電動モーター３０に接続している。また、調光機５０は電動モーター３０及び電源アダプター４０にも接続されている。
【００１３】
リモートコントロールユニット（図示せず）から出された制御信号により、上述の機構を通じて
電動モーター３０が駆動し、軸１３aが案内溝Mに対して摺動することで、扉１３の開閉を行う。同時に、該制御信号により調光機５０を通じて照明２０が一定の時間をかけて明るくなる。
【００１４】
従って、上述した仏壇１によれば、リモコン操作にて扉の自動開閉と照明の調光点灯及び消灯による演出を実現することができる。
つまり、例えば、扉１３の後ろに安置される信仰の対象物の姿が、扉１３が徐々に開き、また同時に徐々に明るさが増していく中で姿を現していき、本体１０内の明るさが最大値に到達し、また扉１３が開ききる際に信仰の対象物の全貌が明らかになることで、荘厳さを増した仏壇１を得ることが可能である。
【符号の説明】
【００１５】
１       仏壇
１０     本体
１１     天板
１２     底板
１３     扉
１３a    軸
１４     背板
２０     照明
３０     電動モーター
３０a    アーム
４０     電源アダプター
５０     調光機
６０     制御回路
７０     赤外線受信センサー
M       案内溝
【図１】
0003187302.tif 000003
【図２】
0003187302.tif 000004
【図３】
0003187302.tif 000005
【図４】
0003187302.tif 000006
(57)【要約】      （修正有）【課題】家庭・医療機関で使われる氷嚢湯たんぽをより広範囲に多目的に改良する冷熱油水耐用氷嚢湯たんぽを提供する。【解決手段】耐寒性・耐熱性・耐油性・耐オゾン性・電気絶縁性に優れたシリコーンゴムからなるシリコーンゴム嚢本体４と、引出・押込自在の漏斗２からなる注液口とをもつ。【選択図】図１
0003187399.tif 000002
【実用新案登録請求の範囲】
【請求項１】
素材に通称シリコーンゴムと呼ばれる耐寒性・耐熱性・耐油性・耐オゾン性・電気絶縁性に優れたものを用いる事。
【請求項２】
使用時の便宜に、引出・押込自在の漏斗状部位を注液口に持つ事。
【考案の詳細な説明】
【技術分野】
【０００１】  本考案は、家庭・医療機関で使われる氷嚢湯たんぽをより広範囲に多目的に改良する。
【背景技術】
【０００２】  従来  氷嚢・湯たんぽはゴム袋・嚢若しくは陶・缶を容器にしていた。その使途により耐用に限界があり  一品一用で有った。それは家庭や小規模医療機関には負担でも有った。【０００３】  もしも氷嚢・湯たんぽが同一の容器で適応するならば常時備えねばならない者にとりまた患者にも適応器具不足での手当ての遅れを回避することができる。
【考案の開示】
【考案が解決しようとする課題】
【０００４】  熱媒として氷水・熱湯・冷泥・熱油など有り合わせの液体を採用が可能に成らないか？【０００５】  漏斗など付随する用具が咄嗟になくとも  熱媒液を充填できないか？もしできるならば内容する熱媒液の制限が減り  適宜適当な処置を患部に施す事ができる。
【課題を解決するための手段】
【０００６】  材質として  耐寒性・耐熱性・耐油性に優れたシリコーンゴムを採用する。【０００７】  引出・押込自在の漏斗状部位を注液口に持たせる。
【考案の効果】
【０００８】  本保温袋は  有り合わせの熱媒液体を採用出来るから  如何なる状況でも有益である。【０００９】本保温袋は  引出・押込自在の漏斗状部位を持つ故  熱媒液体を容易に充填・排泄できる。
【考案を実施するための最良の形態】
【００１０】  図１のように  注排液口に  引出・押込自在の漏斗状部位を持ち  注排液時は引出して液が周囲を汚さないように工夫できる。
【実施例１】
【００１１】  図２のように  使用時には漏斗状部位を押込めば  使用の妨げにはならない。
【産業上の利用可能性】
【００１２】  冷熱保温袋に限らず  周囲に漏れを憚る液体の携行に好都合な容器である。
【図面の簡単な説明】
【００１３】
【図１】引出・押込自在の漏斗状部位を  引出した状態図。
【図２】引出・押込自在の漏斗状部位を  押込めた状態図。
【符号の説明】
【００１４】  １  ネジ蓋
２  漏斗
３  熱融圧着部分
４  シリコーンゴム嚢本体
【図１】
0003187399.tif 000003
【図２】
0003187399.tif 000004
【手続補正書】
【提出日】平成25年7月30日(2013.7.30)
【手続補正１】
【補正対象書類名】実用新案登録請求の範囲
【補正対象項目名】全文
【補正方法】変更
【補正の内容】
【実用新案登録請求の範囲】
【請求項１】
耐寒性・耐熱性・耐油性・耐オゾン性・電気絶縁性に優れたシリコーンゴムからなり、引出・押込自在の漏斗状部位を注液口にもつことを特徴とする氷嚢湯たんぽ。
(57)【要約】      （修正有）【課題】一定期間使用すると絵文字が現れ、特別な視覚効果をユーザに与える石鹸構造を提供する。【解決手段】使用後に絵文字が現れる石鹸構造は、絵文字石鹸層１０及び背景石鹸層２０を含む。絵文字石鹸層１０は、少なくとも１つの絵文字面１１を有し、絵文字面の表面には、図案又は文字が形成される。背景石鹸層２０は、絵文字石鹸層の間と、表面外層とに形成され、大き目の厚さを有し、使用回数が増えるに従って薄くなると絵文字が現れる。【選択図】図２
0003187353.tif 000002
【実用新案登録請求の範囲】
【請求項１】
絵文字石鹸層及び背景石鹸層を含む使用後に絵文字が現れる石鹸構造であって、
前記絵文字石鹸層は、少なくとも１つの絵文字面を有し、前記絵文字面の表面には、図案又は文字が形成され、
前記背景石鹸層は、前記絵文字石鹸層の間と、表面外層とに形成され、大き目の厚さを有し、使用回数が増えるに従って薄くなると前記絵文字が現れることを特徴とする使用後に絵文字が現れる石鹸構造。
【考案の詳細な説明】
【技術分野】
【０００１】
本考案は、石鹸構造に関し、特に、一定期間使用すると絵文字が現れ始める石鹸構造に関する。
【背景技術】
【０００２】
石鹸は日常生活で頻繁に使用される洗浄剤であり、２世紀に発明された後、次第に普及し、油脂、アルカリ、水などの材料が混合されて形成され、石鹸の製造過程において、混合した原料を硬化させてブロック状に形成し、洗浄効果を備える。今日の石鹸は使用材料の精製技術及び多種類の添加物により品質が次第に向上している上、態様及び機能もクリーニング用途としてしか用いられなかった従来の石鹸と比べ豊富であるため、製品としての石鹸は所有者自らが使用することができる以外に、贈答品又は装飾品としても使用されている。
【０００３】
しかし、一般の石鹸は、成形された後に所定の形状を有し、新鮮味が時間とともに低下し、石鹸は使用を開始すると徐々に形状が崩れ、その結果基本的な洗浄作用しか有さなくなることがあった。このように石鹸は、上述した応用段階に長いこと留まっており、改善の余地があった。
【考案の概要】
【考案が解決しようとする課題】
【０００４】
本考案の目的は、一定期間使用すると絵文字が現れ始める、使用後に絵文字が現れる石鹸構造を提供することにある。
【課題を解決するための手段】
【０００５】
上記課題を解決するために、本考案の第１の形態によれば、絵文字石鹸層及び背景石鹸層を含む使用後に絵文字が現れる石鹸構造であって、前記絵文字石鹸層は、少なくとも１つの絵文字面を有し、前記絵文字面の表面には、図案又は文字が形成され、前記背景石鹸層は、前記絵文字石鹸層の間と、表面外層とに形成され、大き目の厚さを有し、使用回数が増えるに従って薄くなると前記絵文字が現れることを特徴とする使用後に絵文字が現れる石鹸構造が提供される。
【図面の簡単な説明】
【０００６】
【図１】図１は、本考案の一実施形態に係る使用後に絵文字が現れる石鹸構造を示す斜視図である。
【図２】図２は、本考案の一実施形態に係る使用後に絵文字が現れる石鹸構造を示す部分断面斜視図である。
【図３】図３は、本考案の一実施形態に係る使用後に絵文字が現れる石鹸構造の状態を示す斜視図である。
【図４】図４は、本考案の他の実施形態に係る使用後に絵文字が現れる石鹸構造を示す断面斜視図である。
【図５】図５は、本考案の他の実施形態に係る使用後に絵文字が現れる石鹸構造を示す断面斜視図である。
【考案を実施するための形態】
【０００７】
以下、本考案の実施形態について図に基づいて説明する。なお、これによって本考案が限定されるものではない。
【０００８】
図１及び図２を参照する。図１及び図２に示すように、本考案の一実施形態に係る使用後に絵文字が現れる石鹸構造は、絵文字石鹸層１０及び背景石鹸層２０を含む。絵文字石鹸層１０は、少なくとも１つの絵文字面１１を有する。絵文字面１１の表面には、図案又は文字が形成されている。背景石鹸層２０は、絵文字面１１の外層に形成され、絵文字面１１を覆う大き目の厚さを有し、その材料の色は絵文字石鹸層１０と異なり、石鹸の外観から絵文字面１１上に形成された図案又は文字を見ることができない状態となっている。絵文字面１１に形成される図案又は文字は、内側に凹んだ凹状の図案又は文字でもよいし、外側に突出した凸状の図案又は文字でもよい。ここで絵文字石鹸層１０に形成した絵文字面１１の設計内容は、大量生産されてもよいし必要に応じた特別生産でもよく、石鹸材料を型枠へ注入して一体化形成したり、後で絵文字面１１に絵文字を加工し、最終的に背景石鹸層２０を絵文字石鹸層１０の外側へ形成したりして石鹸を製作してもよい。
【０００９】
図３を参照する。図３に示すように、ユーザが使用し始め、石鹸の最外層の背景石鹸層２０が次第に小さくなると、内層面の絵文字面１１が徐々に露出し、背景石鹸層２０の異なる色により効果が際立って、絵文字面１１の図案又は文字が突出し、意外な視覚効果をユーザに与える。
【００１０】
図４を参照する。図４に示すように、本考案の他の実施形態に係る使用後に絵文字が現れる石鹸構造の絵文字石鹸１０は、少なくとも一面の絵文字面１１を有し、図４に示すように、絵文字石鹸層１０の上面及び底面に、絵文字面１１がそれぞれ形成されているため、石鹸が現す内容が自然で豊富である。
【００１１】
ここで、図５に示すように、本考案の他の実施形態に係る使用後に絵文字が現れる石鹸構造の絵文字石鹸層１０は、複数層有し、背景石鹸層２０は、各絵文字石鹸層１０の間と表面外層とに形成されてもよい。勿論、ユーザが一定期間使用すると、石鹸表面に相違する絵文字が現れるように、絵文字石鹸層１０に形成される各絵文字面１１の図案又は文字が異なるようにし、これにより意外な視覚効果をユーザに与えてもよい。
【００１２】
上述したことから分かるように、本考案の使用後に絵文字が現れる石鹸構造は、使用過程において絵文字が突然表れ、特別な視覚効果をユーザに与え、特定の絵文字内容の石鹸を贈答品として贈ると、実用的な洗浄用途以外に、使用する過程で絵文字のメッセージを突然現れて、贈る相手に誠意を伝えることができる。
【００１３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１４】
１０  絵文字石鹸層
１１  絵文字面
２０  背景石鹸層
【図１】
0003187353.tif 000003
【図２】
0003187353.tif 000004
【図３】
0003187353.tif 000005
【図４】
0003187353.tif 000006
【図５】
0003187353.tif 000007